【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
第１の近位端および第１の遠位端を有する第１の毛と、
第２の近位端および第２の遠位端を有する第２の毛と、
前記第１の近位端と前記第１の遠位端との間に位置する前記第１の毛および前記第２の近位端と前記第２の遠位端との間に位置する前記第２の毛と交差するベースとを含み、前記第１の毛の第１のセクションが前記ベースと前記第１の近位端との間に延伸し、前記第２の毛の第２のセクションが前記ベースと前記第２の近位端との間に延伸するようにすることを特徴とするまつ毛エクステンション。
【請求項２】
前記第１の毛と前記第２の毛は前記ベースでお互いに交差することを特徴とする請求項１に記載のまつ毛エクステンション。
【請求項３】
前記第１の毛および前記第２の毛は、前記ベースに沿ってお互いに離間して設置されることを特徴とする請求項１に記載のまつ毛エクステンション。
【請求項４】
前記第１の毛は、第１の房の毛に含まれ、前記第２の毛は、第２の房の毛に含まれることを特徴とする請求項１に記載のまつ毛エクステンション。
【請求項５】
前記第１の房の毛および前記第２の房の毛は、前記ベースに沿ってお互いに離間して設置されることを特徴とする請求項４に記載のまつ毛エクステンション。
【請求項６】
前記第１の毛および前記第２の毛のそれぞれは、合成毛であることを特徴とする請求項１に記載のまつ毛エクステンション。
【請求項７】
前記第１の毛および前記第２の毛のそれぞれは、ポリブチレンテレフタレート（ＰＢＴ）を含むことを特徴とする請求項６に記載のまつ毛エクステンション。
【請求項８】
前記ベースの厚さは、０．０５ミリメートル〜０．１５ミリメートルの間であることを特徴とする請求項１に記載のまつ毛エクステンション。
【請求項９】
前記ベースは、前記第１の毛と前記第２の毛を連結する細い線を含むことを特徴とする請求項１に記載のまつ毛エクステンション。
【請求項１０】
前記第１の毛および第２の毛は、前記ベースと一体であることを特徴とする請求項１に記載のまつ毛エクステンション。
【請求項１１】
前記第１の毛および前記第２の毛は、前記ベースと熱融着されていることを特徴とする請求項１０に記載のまつ毛エクステンション。
【請求項１２】
前記第１の毛および前記第２の毛は、前記ベースと一体ではないことを特徴とする請求項１に記載のまつ毛エクステンション。
【請求項１３】
前記第１のセクションと前記第２のセクションとが同じ長さであるか、又は異なる長さであることを特徴とする請求項１に記載のまつ毛エクステンション。
【請求項１４】
前記第１のセクションおよび前記第２のセクションのそれぞれのセクションの長さは、０．２ミリメートル〜２．５ミリメートルの間であることを特徴とする請求項１に記載のまつ毛エクステンション。
【請求項１５】
第１の近位端および第１の遠位端を含む第１の毛が前記第１の近位端と前記第１の遠位端との間で、前記第１の毛の第１のセクションが領域と前記第１の近位端との間に形成されるように、前記第１の近位端と前記第１の遠位端との間で前記第１の毛と交差する領域を横切るように設置することと、
第２の近位端および第２の遠位端を含む第２の毛が前記第２の近位端と前記第２の遠位端との間で、前記第２の毛の第２のセクションが前記領域と前記第２の近位端との間に形成されるように、前記第２の近位端と前記第２の遠位端との間で前記第２の毛と交差する前記領域を横切るように設置することと、
前記第１の毛および前記第２の毛がベースに固定されるように、前記領域に前記ベースを形成することと、
を含むことを特徴とする方法。
【請求項１６】
前記領域にベースを形成することは、前記第１の毛および前記第２の毛が前記ベースと熱融着するように、前記領域内の前記第１の毛および前記第２の毛を加熱して、前記第１の毛および前記第２の毛を熔融してベースを形成することを含むことを特徴とする請求項１５に記載の方法。
【請求項１７】
前記第１の毛を設置し、および前記第２の毛を設置して、前記第１のセクションおよび前記第２のセクションの各セクションの長さをそれぞれ、０．２ミリメートル〜２．５ミリメートルの間にすることを特徴とする請求項１５に記載の方法。
【請求項１８】
前記ベースと前記第１の近位端との間に位置する第１の点で前記第１のセクションを切断し、前記第１の点で前記第１のセクションを切断した後、前記第１のセクションが前記ベースから前記第１の点まで伸びるようにすることと、
前記ベースと前記第２の近位端との間に位置する第２の点で前記第２のセクションを切断し、前記第２の点で前記第２のセクションを切断した後、前記第２のセクションが前記ベースから前記第２の点まで伸びるようにすることと、
をさらに含むことを特徴とする請求項１５に記載の方法。
【請求項１９】
前記第１のセクションを切断して、前記第１のセクションが前記ベースから前記第１の点までの、０．２ミリメートル〜２．５ミリメートルの間の第１の長さを有するようにすることと、
前記第２のセクションを切断して、前記第２のセクションが前記ベースから前記第２の点までの、０．２ミリメートル〜２．５ミリメートルの間の第２の長さを有するようにすることとを含むことを特徴とする請求項１８に記載の方法。
【請求項２０】
第１の毛と第２の毛を前記ベースで交差させることをさらに含むことを特徴とする請求項１５に記載の方法。
【請求項２１】
前記第１の毛および前記第２の毛のそれぞれは、ポリブチレンテレフタレート（ＰＢＴ）を含むことを特徴とする請求項１５に記載の方法。
【請求項２２】
ベースが第１の近位端と第１の遠位端との間に位置する第１の毛と交差し、それにより前記ベースと前記第１の近位端との間に前記第１の毛の第１のセクションを形成するように、前記第１の近位端および前記第１の遠位端を有する前記第１の毛が前記ベースを横切るように設置することと、
前記ベースが第２の近位端と第２の遠位端との間に位置する第２の毛と交差し、それにより前記ベースと前記第２の近位端との間に前記第２の毛の第２のセクションを形成するように、前記第２の近位端および前記第２の遠位端を有する前記第２の毛が前記ベースを横切るように設置することと、
前記第１の毛を前記第１の近位端と前記第１の遠位端との間の前記ベースに固定させ、前記第２の毛を前記第２の近位端と前記第２の遠位端との間の前記ベースに固定させることとを含むことを特徴とする方法。
【請求項２３】
前記第１の毛を設置し、および前記第２の毛を設置して、前記第１の毛および前記第２の毛が前記ベースでお互いに交差するようにすることを特徴とする請求項２２に記載の方法。
【請求項２４】
前記第１の毛および前記第２の毛は、前記ベースに沿ってお互いに離間して設置されることを特徴とする請求項２２に記載の方法。
【請求項２５】
前記第１の毛は、第１の房の毛に含まれ、前記第２の毛は、第２の房の毛に含まれることを特徴とする請求項２２に記載の方法。
【請求項２６】
前記第１の房の毛と第２の房の毛は、前記ベースに沿ってお互いに離間して設置されることを特徴とする請求項２５に記載の方法。
【請求項２７】
前記第１の毛および前記第２の毛のそれぞれは、合成毛であることを特徴とする請求項２２に記載の方法。
【請求項２８】
前記第１の毛および前記第２の毛のそれぞれは、ポリブチレンテレフタレート（ＰＢＴ）を含むことを特徴とする請求項２７に記載の方法。
【請求項２９】
前記ベースの厚さは、０．０５ミリメートル〜０．１５ミリメートルの間であることを特徴とする請求項２２に記載の方法。
【請求項３０】
前記ベースは、前記第１の毛と前記第２の毛とを連結する細い線を含むことを特徴とする請求項２２に記載の方法。
【請求項３１】
前記第１の毛および前記第２の毛は、前記ベースと一体であることを特徴とする請求項２２に記載の方法。
【請求項３２】
前記第１の毛および前記第２の毛は、ベースと熱融着されていることを特徴とする請求項３１に記載の方法。
【請求項３３】
前記第１の毛および前記第２の毛は、前記ベースと一体ではないことを特徴とする請求項２２に記載の方法。
【請求項３４】
前記第１のセクションと前記第２のセクションとが同じ長さであるか、又は異なる長さであることを特徴とする請求項２２に記載の方法。
【請求項３５】
前記第１のセクションおよび前記第２のセクションのそれぞれのセクションの長さは、０．２ミリメートル〜２．５ミリメートルの間であることを特徴とする請求項２２に記載の方法。
【請求項３６】
ベースが第１の近位端と第１の遠位端との間に位置する第１の毛と交差し、それにより前記ベースと前記第１の近位端との間に第１のセクションの毛を形成するように、前記ベースが前記第１の近位端および前記第１の遠位端を有する前記第１の毛を横切るように設置することと、
前記ベースが第２の近位端と第２の遠位端との間に位置する第２の毛と交差し、それによりベースと前記第２の近位端との間に第２のセクションの毛を形成するように、前記ベースが前記第２の近位端および前記第２の遠位端を有する前記第２の毛を横切るように設置することと、
前記第１の近位端と前記第１の遠位端との間の前記第１の毛に前記ベースを固定させ、前記第２の近位端と前記第２の遠位端との間の前記第２の毛に前記ベースを固定させることとを含むことを特徴とする方法。
【請求項３７】
前記ベースが前記第１の毛を横切り、前記ベースが前記第２の毛を横切って、前記第１の毛および前記第２の毛が前記ベースでお互いに交差するようにすることを特徴とする請求項３６に記載の方法。
【請求項３８】
前記第１の毛および前記第２の毛は、前記ベースに沿ってお互いに離間して設置されることを特徴とする請求項３６に記載の方法。
【請求項３９】
前記第１の毛は、第１の房の毛に含まれ、前記第２の毛は、第２の房の毛に含まれることを特徴とする請求項３６に記載の方法。
【請求項４０】
前記第１の房の毛および前記第２の房の毛は、ベースに沿ってお互いに離間して設置されることを特徴とする請求項３９に記載の方法。
【請求項４１】
前記第１の毛および前記第２の毛のそれぞれは、合成毛であることを特徴とする請求項３６に記載の方法。
【請求項４２】
前記第１の毛および前記第２の毛のそれぞれは、ポリブチレンテレフタレート（ＰＢＴ）を含むことを特徴とする請求項４１に記載の方法。
【請求項４３】
前記ベースの厚さは、０．０５ミリメートル〜０．１５ミリメートルの間であることを特徴とする請求項３６に記載の方法。
【請求項４４】
前記ベースは、前記第１の毛と前記第２の毛とを連結する細い線を含むことを特徴とする請求項３６に記載の方法。
【請求項４５】
前記第１の毛および前記第２の毛は、前記ベースと一体であることを特徴とする請求項３６に記載の方法。
【請求項４６】
前記第１の毛および前記第２の毛は、前記ベースと熱融着されていることを特徴とする請求項４５に記載の方法。
【請求項４７】
前記第１の毛および前記第２の毛は、前記ベースと一体ではないことを特徴とする請求項３６に記載の方法。
【請求項４８】
前記第１のセクションと前記第２のセクションとが同じ長さであることを特徴とする請求項３６に記載の方法。
【請求項４９】
前記第１のセクションと第２のセクションとが同じ長さでないことを特徴とする請求項３６に記載の方法。
【請求項５０】
前記第１のセクションおよび前記第２のセクションのそれぞれのセクションの長さは、０．２ミリメートル〜２．５ミリメートルの間であることを特徴とする請求項３６に記載の方法。